(57)【要約】【課題】安定した書込み放電を発生し、黒輝度および黒の次に低い階調の輝度を低下させて、コントラストが高く品質の高い画像を表示する。【解決手段】１つのフィールドは、書込み期間において維持電極に第３の電圧Ｖｅ１を印加し維持期間において走査電極および維持電極に維持パルスを印加した後に第１の電圧Ｖｒ１まで上昇する上り傾斜波形電圧を走査電極に印加する第１のサブフィールドＳＦ２〜ＳＦ１１と、書込み期間において維持電極に第３の電圧Ｖｅ１よりも高い第４の電圧Ｖｅ２を印加し維持期間において維持パルスを印加することなく第１の電圧よりも高い第２の電圧Ｖｒ２まで上昇する上り傾斜波形電圧を走査電極に印加する第２のサブフィールドＳＦ１とを含み、第２のサブフィールドの次に、直前のサブフィールドで書込み放電を発生した放電セルのみで初期化放電を発生する選択初期化動作を行うサブフィールドを配置したフィールドを含む。【選択図】図３
2010266649.tif 000002
【特許請求の範囲】
【請求項１】
初期化期間と書込み期間と維持期間とを有するサブフィールドを複数用いて１つのフィールドを構成し、走査電極と維持電極とデータ電極とを有する放電セルを複数備えたプラズマディスプレイパネルを駆動するプラズマディスプレイパネルの駆動方法であって、
前記１つのフィールドは、前記書込み期間において前記維持電極に第３の電圧を印加し維持期間において前記走査電極および前記維持電極に前記放電セルで放電を起こすための維持パルスを印加した後に第１の電圧まで上昇する上り傾斜波形電圧を前記走査電極に印加する第１のサブフィールドと、前記書込み期間において前記維持電極に第３の電圧よりも高い第４の電圧を印加し維持期間において前記走査電極および前記維持電極に維持パルスを印加することなく前記第１の電圧よりも高い第２の電圧まで上昇する上り傾斜波形電圧を前記走査電極に印加する第２のサブフィールドとを含み、
前記第２のサブフィールドの次に、直前のサブフィールドで書込み放電を発生した放電セルのみで初期化放電を発生する選択初期化動作を行う初期化期間を有するサブフィールドを配置したフィールドを含むことを特徴とするプラズマディスプレイパネルの駆動方法。
【請求項２】
前記放電セルには、連続する複数のフィールドのうちの１つのサブフィールドの初期化期間においてのみ、強制的に初期化放電を発生させる強制初期化動作を行うことを特徴とする請求項１に記載のプラズマディスプレイパネルの駆動方法。
【請求項３】
前記第２のサブフィールドの次のサブフィールドの初期化期間において初期化放電が発生する所定の電圧まで上昇する上り傾斜波形電圧を走査電極に印加した後に下り傾斜波形電圧を前記走査電極に印加して強制初期化動作を行う放電セルと、前記第２のサブフィールドの次のサブフィールドの初期化期間において前記所定の電圧よりも低い電圧まで上昇する上り傾斜波形電圧を走査電極に印加した後に下り傾斜波形電圧を前記走査電極に印加して前記選択初期化動作を行う放電セルとが存在するフィールドを含むことを特徴とする請求項１に記載のプラズマディスプレイパネルの駆動方法。
【請求項４】
走査電極と維持電極とデータ電極とを有する放電セルを複数備えたプラズマディスプレイパネルと、初期化期間と書込み期間と維持期間とを有するサブフィールドを複数用いて１つのフィールドを構成するとともに駆動電圧波形を発生して前記プラズマディスプレイパネルの各電極に印加する駆動回路とを備えたプラズマディスプレイ装置であって、
前記駆動回路は、
前記書込み期間において前記維持電極に第３の電圧を印加し維持期間において前記走査電極および前記維持電極に前記放電セルで放電を起こすための維持パルスを印加した後に第１の電圧まで上昇する上り傾斜波形電圧を前記走査電極に印加する第１のサブフィールドと、前記書込み期間において前記維持電極に第３の電圧よりも高い第４の電圧を印加し維持期間において前記走査電極および前記維持電極に前記維持パルスを印加することなく前記第１の電圧よりも高い第２の電圧まで上昇する上り傾斜波形電圧を前記走査電極に印加する第２のサブフィールドとを含むように前記１つのフィールドを構成し、
かつ、直前のサブフィールドで書込み放電を発生した放電セルのみで初期化放電を発生する初期化期間を有するサブフィールドを前記第２のサブフィールドの次に配置したフィールドを含むように前記プラズマディスプレイパネルを駆動することを特徴とするプラズマディスプレイ装置。
【発明の詳細な説明】
【技術分野】
【０００１】
本発明は、交流面放電型のプラズマディスプレイパネルの駆動方法およびプラズマディスプレイ装置に関する。
【背景技術】
【０００２】
プラズマディスプレイパネル（以下、「パネル」と略記する）は、走査電極と維持電極とデータ電極とを有する放電セルを複数備え、放電セル内でガス放電により発生させた紫外線で赤色、緑色および青色の各色の蛍光体を励起発光させてカラー表示を行っている。
【０００３】
パネルを駆動する方法としてはサブフィールド法、すなわち初期化期間と書込み期間と維持期間とを有するサブフィールドを複数用いて１つのフィールドを構成し、発光させるサブフィールドの組み合わせによって階調表示を行う方法が一般的である。各サブフィールドの初期化期間には初期化動作、書込み期間には書込み動作、維持期間には維持動作を行う。初期化動作は初期化放電を発生し、続く書込み動作に必要な壁電荷を形成する動作である。初期化動作には、直前のサブフィールドの動作にかかわらず初期化放電を発生させる強制初期化動作と、直前のサブフィールドで書込み放電を行った放電セルで初期化放電を発生させる選択初期化動作とがある。書込み動作は表示する画像に応じて放電セルで選択的に書込み放電を発生し壁電荷を形成する動作であり、維持動作は表示電極対に交互に維持パルスを印加して維持放電を発生させ、対応する放電セルの蛍光体層を発光させる動作である。
【０００４】
サブフィールド法の中でも最も低い階調である黒を表示する際の輝度（以下、「黒輝度」と略記する）を下げ、階調表示に関係しない発光を極力減らしてコントラストを向上させる駆動方法が検討されている。例えば特許文献１には、強制初期化動作を行う回数を１フィールドに１回とし、緩やかに変化する傾斜波形電圧を用いて強制初期化動作を行う駆動方法が開示されている。
【０００５】
また特許文献２には、表示電極対をｎ分割し、強制初期化動作を行う回数をｎフィールドに１回とし、階調表示に関係しない発光をさらに減らして黒輝度をさらに下げ、コントラストをさらに向上させた駆動方法が開示されている。
【先行技術文献】
【特許文献】
【０００６】
【特許文献１】特開２０００−２４２２２４号公報
【特許文献２】特開２００６−０９１２９５号公報
【発明の概要】
【発明が解決しようとする課題】
【０００７】
しかしながら最も低い階調である黒輝度を低下させると、黒輝度と黒の次に低い階調の輝度との輝度差が大きくなり、表示できる輝度の連続性が損なわれて、特に暗い画像での画像表示品質が低下するという課題があった。また強制初期化動作の回数を減らすことによりプライミングも減少し、特に低階調を表示するサブフィールドの書込み放電が不安定となるという課題もあった。
【０００８】
本発明はこれらの課題に鑑みなされたものであり、書込み放電を安定して発生させるとともに、黒輝度および黒の次に低い階調の輝度を低下させて、コントラストが高くかつ画像表示品質の高い画像表示が可能なパネルの駆動方法およびプラズマディスプレイ装置を提供することを目的とする。
【課題を解決するための手段】
【０００９】
上記目的を達成するために本発明は、初期化期間と書込み期間と維持期間とを有するサブフィールドを複数用いて１つのフィールドを構成し、走査電極と維持電極とデータ電極とを有する放電セルを複数備えたパネルを駆動するパネルの駆動方法であって、１つのフィールドは、書込み期間において維持電極に第３の電圧を印加し維持期間において走査電極および維持電極に放電セルで放電を起こすための維持パルスを印加した後に第１の電圧まで上昇する上り傾斜波形電圧を走査電極に印加する第１のサブフィールドと、書込み期間において維持電極に第３の電圧よりも高い第４の電圧を印加し維持期間において走査電極および維持電極に維持パルスを印加することなく第１の電圧よりも高い第２の電圧まで上昇する上り傾斜波形電圧を走査電極に印加する第２のサブフィールドとを含み、第２のサブフィールドの次に、直前のサブフィールドで書込み放電を発生した放電セルのみで初期化放電を発生する選択初期化動作を行う初期化期間を有するサブフィールドを配置したフィールドを含むことを特徴とする。この方法により、書込み放電を安定して発生させるとともに、黒輝度および黒の次に低い階調の輝度を低下させて、コントラストが高くかつ画像表示品質の高い画像表示が可能なパネルの駆動方法を提供することができる。
【００１０】
また本発明のパネルの駆動方法は、放電セルには、連続する複数のフィールドのうちの１つのサブフィールドの初期化期間においてのみ、強制的に初期化放電を発生させる強制初期化動作を行うことが望ましい。
【００１１】
また本発明のパネルの駆動方法は、第２のサブフィールドの次のサブフィールドの初期化期間において初期化放電が発生する所定の電圧まで上昇する上り傾斜波形電圧を走査電極に印加した後に下り傾斜波形電圧を走査電極に印加して強制初期化動作を行う放電セルと、第２のサブフィールドの次のサブフィールドの初期化期間において前記所定の電圧よりも低い電圧まで上昇する上り傾斜波形電圧を走査電極に印加した後に下り傾斜波形電圧を走査電極に印加して選択初期化動作を行う放電セルとが存在するフィールドを含んでもよい。
【００１２】
また本発明は、走査電極と維持電極とデータ電極とを有する放電セルを複数備えたパネルと、初期化期間と書込み期間と維持期間とを有するサブフィールドを複数用いて１つのフィールドを構成するとともに駆動電圧波形を発生してパネルの各電極に印加する駆動回路とを備えたプラズマディスプレイ装置であって、駆動回路は、書込み期間において維持電極に第３の電圧を印加し維持期間において走査電極および維持電極に放電セルで放電を起こすための維持パルスを印加した後に第１の電圧まで上昇する上り傾斜波形電圧を走査電極に印加する第１のサブフィールドと、書込み期間において維持電極に第３の電圧よりも高い第４の電圧を印加し維持期間において走査電極および維持電極に維持パルスを印加することなく第１の電圧よりも高い第２の電圧まで上昇する上り傾斜波形電圧を走査電極に印加する第２のサブフィールドとを含むように１つのフィールドを構成し、かつ、直前のサブフィールドで書込み放電を発生した放電セルのみで初期化放電を発生する初期化期間を有するサブフィールドを第２のサブフィールドの次に配置したフィールドを含むようにパネルを駆動することを特徴とする。この構成により、書込み放電を安定して発生させるとともに、黒輝度および黒の次に低い階調の輝度を低下させて、コントラストが高くかつ画像表示品質の高い画像表示が可能なプラズマディスプレイ装置を提供することができる。
【発明の効果】
【００１３】
本発明によれば、書込み放電を安定して発生させるとともに、黒輝度および黒の次に低い階調の輝度を低下させて、コントラストが高くかつ画像表示品質の高い画像表示が可能なパネルの駆動方法およびプラズマディスプレイ装置を提供することが可能となる。
【図面の簡単な説明】
【００１４】
【図１】本発明の実施の形態１におけるプラズマディスプレイ装置に用いるパネルの分解斜視図である。
【図２】同プラズマディスプレイ装置に用いるパネルの電極配列図である。
【図３】同プラズマディスプレイ装置の各電極に印加する駆動電圧波形図である。
【図４】本発明の実施の形態１において強制初期化動作を行う走査電極とフィールドとの関係を示す図である。
【図５】本発明の実施の形態１におけるプラズマディスプレイ装置の回路ブロック図である。
【図６】同プラズマディスプレイ装置の走査電極駆動回路の回路図である。
【図７】同プラズマディスプレイ装置の維持電極駆動回路の回路図である。
【図８】同プラズマディスプレイ装置の走査電極駆動回路および維持電極駆動回路の動作を説明するためのタイミングチャートである。
【図９】同プラズマディスプレイ装置の各電極に印加する他の駆動電圧波形図である。
【図１０】本発明の実施の形態２における強制初期化動作を行う放電セルとフィールドとの関係を示す図である。
【発明を実施するための形態】
【００１５】
以下、本発明の実施の形態におけるプラズマディスプレイ装置について、図面を用いて説明する。
【００１６】
（実施の形態１）
図１は、本発明の実施の形態１におけるプラズマディスプレイ装置に用いるパネル１０の分解斜視図である。ガラス製の前面基板２１上には、走査電極２２と維持電極２３とからなる表示電極対２４が複数形成されている。そして表示電極対２４を覆うように誘電体層２５が形成され、その誘電体層２５上に保護層２６が形成されている。保護層２６は、放電を発生しやすくするために、電子放出性能の高い材料である酸化マグネシウムを用いて形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００１７】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、放電ガスとして、例えばネオンとキセノンとの混合ガスが封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００１８】
なお、パネル１０の構造は上述したものに限られるわけではなく、例えばストライプ状の隔壁を備えたものであってもよい。
【００１９】
図２は、本発明の実施の形態１におけるプラズマディスプレイ装置に用いるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【００２０】
次に、パネル１０を駆動するための駆動電圧波形とその動作について説明する。プラズマディスプレイ装置は、サブフィールド法、すなわち１フィールドを複数のサブフィールドに分割し、サブフィールド毎に各放電セルの発光・非発光を制御することによって画像を表示する。それぞれのサブフィールドでは初期化動作、書込み動作および維持動作を行う。初期化動作は初期化放電を発生し、続く書込み放電に必要な壁電荷を各電極上に形成する動作である。このときの初期化動作には、それ以前の放電の有無にかかわらず放電セルで初期化放電を発生させる強制初期化動作と、直前のサブフィールドで維持放電を行った放電セルのみで初期化放電を発生させる選択初期化動作とがある。書込み動作は、発光させるべき放電セルで選択的に書込み放電を発生し壁電荷を形成する動作である。そして維持動作は、サブフィールド毎にあらかじめ決められた輝度重みに応じた数の維持パルスを表示電極対に交互に印加して、書込み放電を発生した放電セルで維持放電を発生させて発光させる動作である。
【００２１】
サブフィールド構成としては、例えば、１フィールドを１１のサブフィールド（ＳＦ１、ＳＦ２、・・・、ＳＦ１１）に分割し、各サブフィールドはそれぞれ、（１／２、１、２、３、６、１１、１８、３０、４４、６０、８０）の輝度重みを持つものとする。ここでＳＦ１の輝度重みを「１／２」と記しているが、これはＳＦ１が表示電極対に維持パルスを印加しない第２のサブフィールドであることを示している。ここで「１／２」の値自体には厳密な意味はなく、表示電極対に維持パルスを印加する第１のサブフィールドＳＦ２〜ＳＦ１１よりも低い階調表示を行うことを示している。このように１つのフィールドは、維持期間において走査電極および維持電極に維持パルスを印加する第１のサブフィールドと、維持期間において走査電極および維持電極に維持パルスを印加しない第２のサブフィールドとを含む。以下、第２のサブフィールドおよび第１のサブフィールドを単に「サブフィールド」とも称する。
【００２２】
なお、本実施の形態においては、ＳＦ２で強制初期化動作または選択初期化動作を行い、ＳＦ１、ＳＦ３〜ＳＦ１０では選択初期化動作を行うものとする。しかし、本発明は上記のサブフィールド構成に限定されるものではない。
【００２３】
本実施の形態においては、ＳＦ２において全ての放電セルで強制初期化動作を行うのではなく、特定の走査電極を有する放電セルで強制初期化動作を行い、それ以外の放電セルでは強制初期化動作は行わない。特定の走査電極についての詳細は後述することとして、まず駆動電圧波形の一例について説明する。
【００２４】
図３は、本発明の実施の形態１におけるプラズマディスプレイ装置の各電極に印加する駆動電圧波形図である。図３には走査電極ＳＣ１、走査電極ＳＣ２、維持電極ＳＵ１〜ＳＵｎおよびデータ電極Ｄ１〜Ｄｍに印加する駆動電圧波形を、ＳＦ１からＳＦ３まで示している。なお図３においては、走査電極ＳＣ１を有する放電セルで強制初期化動作を行い、走査電極ＳＣ２を有する放電セルでは強制初期化動作を行わないものとして説明する。
【００２５】
ＳＦ１の初期化期間では、データ電極Ｄ１〜Ｄｍに電圧０（Ｖ）を印加し、維持電極ＳＵ１〜ＳＵｎには第４の電圧Ｖｅ２（以下、単に「電圧Ｖｅ２」と略記する。）を印加する。電圧Ｖｅ２は後述する第３の電圧Ｖｅ１（以下、単に「電圧Ｖｅ１」と略記する。）よりも高く設定されている。そして走査電極ＳＣ１〜ＳＣｎには電圧Ｖｉ４に向かって緩やかに下降する下り傾斜波形電圧を印加する。すると、直前のサブフィールドにおいて維持放電を発生した放電セルで微弱な初期化放電が発生し、走査電極ＳＣｉ上および維持電極ＳＵｉ上の壁電圧が弱められる。またデータ電極Ｄｋの壁電圧の過剰な部分が放電され、書込み動作に適した壁電圧に調整される。このようにして選択初期化動作が完了する。ここで電極上の壁電圧とは、電極を覆う誘電体層上、保護層上、蛍光体層上等に蓄積された壁電荷により生じる電圧を表す。
【００２６】
続くＳＦ１の書込み期間では、データ電極Ｄ１〜Ｄｍに電圧０（Ｖ）を、維持電極ＳＵ１〜ＳＵｎには電圧Ｖｅ２を引き続き印加し、走査電極ＳＣ１〜ＳＣｎに電圧Ｖｃを印加する。次に、１行目の走査電極ＳＣ１に電圧Ｖａの走査パルスを印加するとともに発光すべき放電セルに対応するデータ電極Ｄｋに電圧Ｖｄの書込みパルスを印加する。するとデータ電極Ｄｋ上と走査電極ＳＣ１上との交差部の電圧差は、外部印加電圧の差（Ｖｄ−Ｖａ）にデータ電極Ｄｋ上の正の壁電圧が加算され放電開始電圧を超える。そしてデータ電極Ｄｋと走査電極ＳＣ１との間で発生した放電が走査電極ＳＣ１と維持電極ＳＵ１との間に伸展して書込み放電が起こる。そして走査電極ＳＣ１上に正の壁電圧が蓄積され、維持電極ＳＵ１上に負の壁電圧が蓄積され、データ電極Ｄｋ上にも負の壁電圧が蓄積される。このようにして、１行目に発光させるべき放電セルで書込み放電を起こして各電極上に壁電圧を蓄積する書込み動作が行われる。一方、書込みパルスを印加しなかったデータ電極と走査電極ＳＣ１との交差部の電圧は放電開始電圧を超えないので、書込み放電は発生しない。
【００２７】
次に、２行目の走査電極ＳＣ２に走査パルスを印加するとともに、発光すべき放電セルに対応するデータ電極Ｄｋに電圧Ｖｄの書込みパルスを印加する。するとデータ電極Ｄｋと走査電極ＳＣ１との間および維持電極ＳＵ１と走査電極ＳＣ１との間で書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。このようにして、２行目に発光させるべき放電セルで書込み放電を起こして各電極上に壁電圧を蓄積する書込み動作が行われる。一方、書込みパルスを印加しなかったデータ電極と走査電極ＳＣ１との交差部の電圧は放電開始電圧を超えないので、書込み放電は発生しない。
【００２８】
以下、ｎ行目の走査電極ＳＣｎにいたるまで同様の書込み動作を行い、続く維持放電に必要な壁電荷を形成する。
【００２９】
続くＳＦ１の維持期間では、維持電極ＳＵ１〜ＳＵｎに電圧０（Ｖ）を印加するとともに走査電極ＳＣ１〜ＳＣｎには第２の電圧Ｖｒ２（以下、単に「電圧Ｖｒ２」と略記する。）まで緩やかに上昇する上り傾斜波形電圧を印加する。電圧Ｖｒ２は後述する第１の電圧Ｖｒ１（以下、単に「電圧Ｖｒ１」と略記する。）よりも高く設定されている。すると書込み放電を行った放電セルでは走査電極ＳＣｉと維持電極ＳＵｉとの間で微弱な消去放電が発生し、このとき発生した紫外線により蛍光体層３５が発光する。そして走査電極ＳＣｉ上および維持電極ＳＵｉ上の壁電圧が弱められる。また電圧Ｖｒ２は書込み放電を行った放電セルの走査電極ＳＣｉとデータ電極Ｄｋとの間の放電開始電圧を超える電圧に設定されているため、走査電極ＳＣｉとデータ電極Ｄｋとの間でも微弱な放電が発生してデータ電極Ｄｋ上に正の壁電圧が蓄積される。
【００３０】
このように、ＳＦ１の維持期間では走査電極ＳＣ１〜ＳＣｎおよび維持電極ＳＵ１〜ＳＵｎに維持パルスを印加することなく、電圧Ｖｒ２に向かって緩やかに上昇する上り傾斜波形電圧を走査電極ＳＣ１〜ＳＣｎに印加する。このようにしてＳＦ１は書込み動作に続けて傾斜波形電圧を用いた微弱放電を発生させるため、維持パルスを用いて階調を表示するサブフィールドよりも暗い階調を表示することができる。こうしてＳＦ１の維持動作を終了する。
【００３１】
続くＳＦ２の初期化期間の前半部では、データ電極Ｄ１〜Ｄｍに電圧０（Ｖ）を印加し、維持電極ＳＵ１〜ＳＵｎにも電圧０（Ｖ）を印加する。そして強制初期化動作を行うための駆動電圧波形を印加する走査電極（以下「強制初期化動作を行う走査電極」と略記する）である走査電極ＳＣ１には、放電が発生しない電圧Ｖｉ１から、それ以前の放電の有無にかかわらず初期化放電が発生する所定の電圧Ｖｉ２（以下、単に「電圧Ｖｉ２」と略記する。）まで緩やかに上昇する上り傾斜波形電圧を印加する。すると、走査電極ＳＣ１と維持電極ＳＵ１との間、および走査電極ＳＣ１とデータ電極Ｄ１〜Ｄｍとの間でそれぞれ微弱な初期化放電が起こり、走査電極ＳＣ１上に負の壁電圧が蓄積されるとともにデータ電極Ｄ１〜Ｄｍ上および維持電極ＳＵ１上に正の壁電圧が蓄積される。加えて、書込み放電の放電遅れ時間を短くするプライミングも発生する。
【００３２】
一方、強制初期化動作を行うための駆動電圧波形を印加しない走査電極（以下「強制初期化動作を行わない走査電極」と略記する）である走査電極ＳＣ２には、電圧０（Ｖ）から、上記の電圧Ｖｉ２よりも低い電圧Ｖｉ５に向かって緩やかに上昇する上り傾斜波形電圧を印加する。ただしこの場合には放電は発生しない。
【００３３】
このようにＳＦ２の初期化期間の前半部では、強制初期化動作を行う走査電極にはそれ以前の放電の有無にかかわらず放電が発生する電圧Ｖｉ２に向かって緩やかに上昇する上り傾斜波形電圧を印加する。また、強制初期化動作を行わない走査電極には、電圧Ｖｉ２よりも低い電圧Ｖｉ５に向かって緩やかに上昇する上り傾斜波形電圧を印加する。
【００３４】
続くＳＦ２の初期化期間の後半部では、データ電極Ｄ１〜Ｄｍに電圧０（Ｖ）を印加し、維持電極ＳＵ１〜ＳＵｎには電圧Ｖｅ２よりも低い電圧Ｖｅ１を印加する。そして走査電極ＳＣ１〜ＳＣｎに電圧Ｖｉ３から電圧Ｖｉ４に向かって緩やかに下降する下り傾斜波形電圧を印加する。すると、ＳＦ２の初期化期間の前半部で微弱な初期化放電を起こした放電セルおよびＳＦ１で放電を発生し過剰な壁電荷を蓄積している放電セルでは微弱な初期化放電が発生し、対応する放電セルの走査電極上および維持電極上の壁電圧が弱められるとともに、データ電極Ｄ１〜Ｄｍの壁電圧の過剰な部分が放電され書込み動作に適した壁電圧に調整される。加えて、書込み放電の放電遅れ時間を短くするプライミングも発生する。一方、ＳＦ１で放電を起こさずＳＦ２の初期化期間の前半部でも初期化放電を起こさなかった放電セルでは放電が発生せず、それ以前の壁電圧が保持される。
【００３５】
このようにして、それ以前の放電の有無にかかわらず放電が発生する電圧Ｖｉ２に向かって上昇する上り傾斜波形電圧を印加した走査電極を有する放電セルでは強制初期化動作が行われる。一方、電圧Ｖｉ２よりも低い電圧Ｖｉ５に向かって上昇する上り傾斜波形電圧を印加した走査電極を有する放電セルでは強制初期化動作は行われず選択初期化動作が行われる。
【００３６】
このように本実施の形態においては、維持期間において維持パルスを印加することなく上り傾斜波形電圧を走査電極に印加するＳＦ１の次のサブフィールドＳＦ２の初期化期間において、選択初期化動作を行う放電セルと強制初期化動作を行う放電セルとが混在する。そして強制初期化動作を行う放電セルは、第２のサブフィールドの次のサブフィールドの初期化期間において初期化放電が発生する電圧Ｖｉ２まで上昇する上り傾斜波形電圧を走査電極に印加した後に下り傾斜波形電圧を走査電極に印加し、強制初期化動作を行わない放電セルは、第２のサブフィールドの次のサブフィールドの初期化期間において電圧Ｖｉ２よりも低い電圧Ｖｉ５まで上昇する上り傾斜波形電圧を走査電極に印加した後に下り傾斜波形電圧を走査電極に印加する。
【００３７】
続くＳＦ２の書込み期間では、データ電極Ｄ１〜Ｄｍに電圧０（Ｖ）を、維持電極ＳＵ１〜ＳＵｎには電圧Ｖｅ１を引き続き印加する。そして走査電極ＳＣ１〜ＳＣｎに電圧Ｖａの走査パルスを順次印加するとともに、発光すべき放電セルに対応するデータ電極Ｄｋに電圧Ｖｄの書込みパルスを印加して書込み動作を行う。
【００３８】
続くＳＦ２の維持期間では、維持電極ＳＵ１〜ＳＵｎに電圧０（Ｖ）を印加するとともに走査電極ＳＣ１〜ＳＣｎに電圧Ｖｓの維持パルスを印加する。すると書込み放電を起こした放電セルでは、走査電極ＳＣｉ上と維持電極ＳＵｉ上との電圧差は電圧Ｖｓに走査電極ＳＣｉ上の壁電圧と維持電極ＳＵｉ上の壁電圧との差を加算したものとなり放電開始電圧を超える。そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。一方、書込み放電が起きなかった放電セルでは維持放電は発生せず、初期化動作の終了時における壁電圧が保たれる。
【００３９】
続いて、走査電極ＳＣ１〜ＳＣｎに電圧０（Ｖ）を印加するとともに維持電極ＳＵ１〜ＳＵｎに電圧Ｖｓの維持パルスを印加する。すると、維持放電を起こした放電セルでは再び維持放電が起こり、蛍光体層３５が発光する。そして維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに応じた数の維持パルスを印加し、書込み放電を起こした放電セルで維持放電を継続して発生させる。
【００４０】
そしてその後に、電圧Ｖｒ２よりも低い電圧Ｖｒ１に向かって緩やかに上昇する上り傾斜波形電圧を走査電極ＳＣ１〜ＳＣｎに印加する。すると維持放電を行った放電セルでは消去放電が発生して、走査電極ＳＣｉ上および維持電極ＳＵｉ上の壁電圧が弱められる。なお、データ電極Ｄｋ上には正の壁電圧が蓄積されているので走査電極ＳＣｉとデータ電極Ｄｋとの間では放電は発生しない。こうして維持動作を終了する。
【００４１】
ＳＦ３の初期化期間では、データ電極Ｄ１〜Ｄｍに電圧０（Ｖ）を印加し、維持電極ＳＵ１〜ＳＵｎには電圧Ｖｅ１を印加する。そして走査電極ＳＣ１〜ＳＣｎには電圧Ｖｉ４に向かって緩やかに下降する下り傾斜波形電圧を印加する。すると、直前のサブフィールドにおいて維持放電を発生した放電セルで微弱な初期化放電が発生し、走査電極ＳＣｉ上および維持電極ＳＵｉ上の壁電圧が弱められる。またデータ電極Ｄｋ上の壁電圧の過剰な部分が放電され、書込み動作に適した壁電圧に調整される。このようにして選択初期化動作が完了する。
【００４２】
続くＳＦ３の書込み期間では、ＳＦ２の書込み期間と同様に、維持電極ＳＵ１〜ＳＵｎには引き続き電圧Ｖｅ１を印加する。そして走査電極ＳＣ１〜ＳＣｎに走査パルスを順次印加するとともに、発光すべき放電セルに対応するデータ電極Ｄｋに書込みパルスを印加して書込み動作を行う。
【００４３】
続くＳＦ３の維持期間の動作は維持パルス数を除きＳＦ２の維持期間と同じである。すなわち走査電極ＳＣ１〜ＳＣｎと維持電極ＳＵ１〜ＳＵｎとに交互に輝度重みに応じた数の維持パルスを印加し、書込み放電を起こした放電セルで維持放電を継続して発生させる。そしてその後に、電圧Ｖｒ１に向かって緩やかに上昇する上り傾斜波形電圧を走査電極ＳＣ１〜ＳＣｎに印加して、データ電極Ｄｋ上の正の壁電圧を残したまま、走査電極ＳＣｉ上および維持電極ＳＵｉ上の壁電圧を弱める。
【００４４】
続くＳＦ４〜ＳＦ１１における動作は、維持パルス数を除きＳＦ３の動作と同様である。
【００４５】
なお、本実施の形態においては、電圧Ｖｉ１は１４５（Ｖ）、電圧Ｖｉ２は３６０（Ｖ）、電圧Ｖｉ３は２００（Ｖ）、電圧Ｖｉ４は−１６７（Ｖ）、電圧Ｖｉ５は２１５（Ｖ）、電圧Ｖｃは−４０（Ｖ）、電圧Ｖａは−１８５（Ｖ）、電圧Ｖｓは２００（Ｖ）、電圧Ｖｒ１は２００（Ｖ）、電圧Ｖｒ２は２２０（Ｖ）、電圧Ｖｅ１は１１５（Ｖ）、電圧Ｖｅ２は１３０（Ｖ）、電圧Ｖｄは７５（Ｖ）である。しかしこれらの電圧値は上述した値に限定されるものではなく、パネルの放電特性やプラズマディスプレイ装置の仕様にもとづき最適に設定することが望ましい。
【００４６】
このように本実施の形態においては、ＳＦ１、すなわち維持期間において維持パルスを印加することなく、電圧Ｖｒ２に向かって緩やかに上昇する上り傾斜波形電圧を走査電極ＳＣ１〜ＳＣｎに印加する第２のサブフィールドを用いることにより、維持パルスを用いて階調を表示する第１のサブフィールドよりも暗い階調を表示することができる。さらに本実施の形態においては、ＳＦ１の維持期間において走査電極ＳＣ１〜ＳＣｎに印加する上り傾斜波形電圧の到達電圧Ｖｒ２を、その他のサブフィールドの維持期間の最後に走査電極ＳＣ１〜ＳＣｎに印加する上り傾斜波形電圧の到達電圧Ｖｒ１よりも高く設定している。以下にその理由について説明する。
【００４７】
上述したように、本実施の形態においては、直前のサブフィールドで書込み放電を発生した放電セルのみで初期化放電を発生する選択初期化期間を有するサブフィールドを第２のサブフィールドの次に配置したフィールド構成となる放電セルが存在する。具体的には、強制初期化動作を行わない走査電極を有する放電セルがこれに該当する。
【００４８】
書込み放電はデータ電極Ｄｋ上と走査電極ＳＣ１上との交差部に放電開始電圧を超える電圧を印加することにより発生するが、交差部の電圧差は、外部印加電圧の差（Ｖｄ−Ｖａ）にデータ電極Ｄｋ上の壁電圧が加算されて決定する。そしてデータ電極上に適正な値の正の壁電圧をあらかじめ蓄積しておくことにより、比較的低い電圧Ｖｄの書込みパルスを用いて書込み放電を発生させることができる。
【００４９】
書込み放電を行うと、上記で説明したように、データ電極Ｄｋ上には負の壁電圧が蓄積される。しかし第１のサブフィールドであるＳＦ２〜ＳＦ１１では、書込み動作の後に、表示電極対に維持パルスを印加して維持放電を行うので、データ電極上には正の壁電圧が蓄積されている。したがって、続くサブフィールドの初期化期間でデータ電極上の正の壁電圧を適正な値に調整するだけで、その後の書込み動作を行うことができる。
【００５０】
しかしながら第２のサブフィールドであるＳＦ１では書込み放電を行った後に、表示電極対に維持パルスを印加する維持放電は行わない。そこで本実施の形態においては、ＳＦ１の維持期間において走査電極ＳＣ１〜ＳＣｎに印加する上り傾斜波形電圧の到達電圧Ｖｒ２を、電圧Ｖｒ１よりも高く、かつ書込み放電を行った放電セルの走査電極ＳＣｉとデータ電極Ｄｋとの間の放電開始電圧を超える電圧Ｖｒ２に設定している。そして走査電極ＳＣｉとデータ電極Ｄｋとの間で微弱な放電を発生させてデータ電極Ｄｋ上に正の壁電圧を蓄積している。このように駆動することにより、第２のサブフィールドの次に選択初期化期間を有するサブフィールドを配置したフィールド構成であり続くサブフィールドの初期化期間で選択初期化動作を行う場合であっても、データ電極上の正の壁電圧を適正な値に調整することができ、その後の書込み動作を行うことができる。
【００５１】
ただし、電圧Ｖｒ２が高すぎると、ＳＦ１の書込み期間において書込み放電を発生しなかった放電セルでも放電が発生して黒輝度が上昇し、コントラストが低下する。そのため、電圧Ｖｒ２は、ＳＦ１の書込み期間において書込み放電を発生した放電セルのデータ電極上に必要な正の壁電圧が蓄積する電圧であって、かつ書込み放電を発生しなかった放電セルでは放電が発生しない電圧に設定しなければならない。
【００５２】
また本実施の形態においては、表示電極対に維持パルスを印加するサブフィールドよりも低い階調表示を行うＳＦ１の書込み期間において維持電極ＳＵ１〜ＳＵｎに印加する電圧Ｖｅ２を、それ以外のサブフィールドの書込み期間において維持電極ＳＵ１〜ＳＵｎに印加する電圧Ｖｅ１よりも高く設定している。以下にその理由について説明する。
【００５３】
ＳＦ１は黒の次に低い階調の輝度を表示するためのサブフィールドであり、暗い画像表示時に滑らかな輝度変化を表示するために用いるサブフィールドである。そのため、ＳＦ１単独で発光させる放電セル、または比較的輝度重みの小さいサブフィールドとＳＦ１とで発光させる放電セルの割合が多い。このような放電セルではプライミングが不足しているため書込みパルスを印加しても安定した書込み放電が発生しない確率が高くなる。
【００５４】
しかしながら本実施の形態においては、ＳＦ１の書込み期間において維持電極ＳＵ１〜ＳＵｎに高い電圧Ｖｅ２を印加し、書込み放電を発生しやすくしている。従ってプライミングが不足した放電セルであってもデータパルスを印加した放電セルでは安定して書込み放電を発生させることができる。もちろんプライミングが十分に存在する放電セルでは、データパルスを印加していない放電セルで書込み放電が発生する誤書込みの確率が高くなる。しかしながらプライミングが十分に存在する放電セルは輝度重みの高いサブフィールドで発光した放電セルに限られるので、このような誤書込みが画像表示品質を低下させることはない。
【００５５】
次に、強制初期化動作を行う特定の走査電極とフィールドとの関係について説明する。本実施の形態においては、各フィールドのそれぞれに対して強制初期化動作を行う特定の走査電極を以下の規則にもとづき設定する。１つの走査電極に対して、Ｎ個の連続するフィールド（Ｎは自然数）のうち１つのフィールドで１回だけ強制初期化動作を行う場合、時間的に連続するＮフィールドを１つのフィールド群とし、連続して配置されたＮ本の走査電極を１つの走査電極群とする。その上で、
（規則１）１つの走査電極で強制初期化動作を行うフィールドは、それぞれのフィールド群の中で１つである。
（規則２）１つのフィールドで強制初期化動作を行う走査電極は、それぞれの走査電極群の中で１つである。
【００５６】
さらに、Ｎ≧５の場合には、
（規則３）あるフィールドで強制初期化動作を行う走査電極に隣接する走査電極では、少なくともそのフィールドと、そのフィールドの次のフィールドとで強制初期化動作を行わない。
【００５７】
図４は、本発明の実施の形態１において強制初期化動作を行う走査電極とフィールドとの関係を示す図であり、時間的に連続する５フィールドを１つのフィールド群とするＮ＝５の場合の一例を示している。また横軸はフィールドを、縦軸は走査電極をそれぞれ表し、フィールドＦｊ〜Ｆｊ＋４が１つのフィールド群を、走査電極ＳＣｉ〜ＳＣｉ＋４が１つの走査電極群を構成している。さらに「○」は強制初期化動作を行うことを示し、「×」は強制初期化動作を行わないことを示している。
【００５８】
図４から明らかなように、走査電極ＳＣｉは、それぞれフィールド群の中の１つのフィールドで強制初期化動作を行っている。他の走査電極についても同様である（規則１）。これにより、フィールド毎に全ての放電セルで強制初期化動作を毎回行う場合と比較して、強制初期化動作の回数が５分の１に低減されるので、表示画像の黒輝度も５分の１に低減することができる。またフィールドＦｊに対して、それぞれ走査電極群の中の１つの走査電極で強制初期化動作を行っている。他のフィールドについても同様である（規則２）。これにより、強制初期化動作を行う走査電極を各フィールドに分散できるので、フリッカーを低減することができる。また走査電極ＳＣｉはフィールドＦｊで強制初期化動作を行い、走査電極ＳＣｉに隣接する走査電極ＳＣｉ−１および走査電極ＳＣｉ＋１は、フィールドＦｊおよびその次のフィールドＦｊ＋１では強制初期化動作を行わない。他の走査電極についても同様である（規則３）。これにより、強制初期化動作を行う走査電極の時間的および空間的連続性を低減できるので、強制初期化動作にともなう発光が認識されにくくなる。
【００５９】
このように本実施の形態においては、放電セルのそれぞれは、連続する複数のフィールドのうちの１つのフィールドに属する１つのサブフィールドの初期化期間において強制的に初期化放電を発生させる強制初期化動作を行う。これにより黒輝度を低下させて、コントラストの高い画像表示を行っている。
【００６０】
また、１つのフィールドは、書込み期間において維持電極に第３の電圧Ｖｅ１を印加し維持期間において走査電極および維持電極に維持パルスを印加した後に第１の電圧Ｖｒ１まで上昇する上り傾斜波形電圧を走査電極に印加する第１のサブフィールドと、書込み期間において維持電極に第３の電圧Ｖｅ１よりも高い第４の電圧Ｖｅ２を印加し維持期間において走査電極および維持電極に維持パルスを印加することなく第１の電圧Ｖｒ１よりも高い第２の電圧Ｖｒ２まで上昇する上り傾斜波形電圧を走査電極に印加する第２のサブフィールドとを含み、直前のサブフィールドで書込み放電を発生した放電セルのみで初期化放電を発生する選択初期化動作を行う初期化期間を有するサブフィールドを第２のサブフィールドの次に配置したフィールドを含むように構成されている。これにより、黒の次に低い階調の輝度を低下させて、画像表示品質の高い画像表示を行っている。
【００６１】
次に、パネル１０を駆動するための駆動回路とその動作について説明する。図５は、本発明の実施の形態１におけるプラズマディスプレイ装置４０の回路ブロック図である。プラズマディスプレイ装置４０は、パネル１０とその駆動回路とを備え、駆動回路は、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【００６２】
画像信号処理回路４１は、入力された画像信号をサブフィールド毎の発光・非発光を示す画像データに変換する。データ電極駆動回路４２はサブフィールド毎の画像データを各データ電極Ｄ１〜Ｄｍに対応する書込みパルスに変換し各データ電極Ｄ１〜Ｄｍに印加する。タイミング発生回路４５は垂直および水平同期信号をもとにして各回路ブロックの動作を制御する各種のタイミング信号を発生し、それぞれの回路ブロックへ供給する。走査電極駆動回路４３は、タイミング信号にもとづいて上述した駆動電圧波形を発生し各走査電極ＳＣ１〜ＳＣｎのそれぞれに印加する。維持電極駆動回路４４は、タイミング信号にもとづいて上述した駆動電圧波形を発生し維持電極ＳＵ１〜ＳＵｎに印加する。
【００６３】
図６は、本発明の実施の形態１におけるプラズマディスプレイ装置４０の走査電極駆動回路４３の回路図である。走査電極駆動回路４３は、維持パルス発生回路５０と、傾斜波形電圧発生回路６０と、走査パルス発生回路７０とを備えている。
【００６４】
維持パルス発生回路５０は、電力回収回路５１と、スイッチング素子Ｑ５５と、スイッチング素子Ｑ５６と、スイッチング素子Ｑ５９とを有し、走査電極ＳＣ１〜ＳＣｎに印加する維持パルスを発生する。電力回収回路５１は走査電極ＳＣ１〜ＳＣｎを駆動するときの電力を回収して再利用する。スイッチング素子Ｑ５５は走査電極ＳＣ１〜ＳＣｎを電圧Ｖｓにクランプし、スイッチング素子Ｑ５６は走査電極ＳＣ１〜ＳＣｎを電圧０（Ｖ）にクランプする。スイッチング素子Ｑ５９は分離スイッチであり、走査電極駆動回路４３を構成するスイッチング素子の寄生ダイオード等を介して電流が逆流するのを防止するために設けられている。
【００６５】
走査パルス発生回路７０は、スイッチング素子Ｑ７１Ｈ１〜Ｑ７１Ｈｎ、Ｑ７１Ｌ１〜Ｑ７１Ｌｎ、スイッチング素子Ｑ７２を有する。そして電圧Ｖａの電源、および走査パルス発生回路７０の基準電位（図６に示した節点Ａの電位）に重畳された電圧Ｖｐの電源をもとにして走査パルスを発生し、走査電極ＳＣ１〜ＳＣｎのそれぞれに、図３に示したタイミングで走査パルスを順次印加する。なお、走査パルス発生回路７０は、維持動作時には維持パルス発生回路５０の出力電圧をそのまま出力する。すなわち、節点Ａの電圧を走査電極ＳＣ１〜ＳＣｎへ出力する。
【００６６】
傾斜波形電圧発生回路６０は、ミラー積分回路６１〜６３を備え、図３に示した傾斜波形電圧を発生させる。ミラー積分回路６１は、トランジスタＱ６１とコンデンサＣ６１と抵抗Ｒ６１とを有し、入力端子ＩＮ６１に一定の電圧を印加することにより、電圧Ｖｔに向かって緩やかに上昇する上り傾斜波形電圧を発生する。ミラー積分回路６２は、トランジスタＱ６２とコンデンサＣ６２と抵抗Ｒ６２と逆流防止用のダイオードＤ６２とを有し、入力端子ＩＮ６２に一定の電圧を印加することにより、電圧Ｖｒ１に向かって緩やかに上昇する上り傾斜波形電圧を発生する。ミラー積分回路６３は、トランジスタＱ６３とコンデンサＣ６３と抵抗Ｒ６３とを有し、入力端子ＩＮ６３に一定の電圧を印加することにより、電圧Ｖｉ４に向かって緩やかに低下する下り傾斜波形電圧を発生する。なおスイッチング素子Ｑ６９も分離スイッチであり、走査電極駆動回路４３を構成するスイッチング素子の寄生ダイオード等を介して電流が逆流するのを防止するために設けられている。
【００６７】
なお、これらのスイッチング素子およびトランジスタは、ＭＯＳＦＥＴやＩＧＢＴ等の一般に知られた素子を用いて構成することができる。またこれらのスイッチング素子およびトランジスタは、タイミング発生回路４５で発生したそれぞれのスイッチング素子およびトランジスタに対応するタイミング信号により制御される。
【００６８】
図７は、本発明の実施の形態１におけるプラズマディスプレイ装置４０の維持電極駆動回路４４の回路図である。維持電極駆動回路４４は、維持パルス発生回路８０と、一定電圧発生回路９０とを備えている。
【００６９】
維持パルス発生回路８０は、電力回収回路８１と、スイッチング素子Ｑ８５と、スイッチング素子Ｑ８６とを有し、維持電極ＳＵ１〜ＳＵ１０８０に印加する維持パルスを発生する。電力回収回路８１は維持電極ＳＵ１〜ＳＵ１０８０を駆動するときの電力を回収して再利用する。スイッチング素子Ｑ８５は維持電極ＳＵ１〜ＳＵ１０８０を電圧Ｖｓにクランプし、スイッチング素子Ｑ８６は維持電極ＳＵ１〜ＳＵ１０８０を電圧０（Ｖ）にクランプする。
【００７０】
一定電圧発生回路９０は、スイッチング素子Ｑ９１、Ｑ９２、逆流防止用のダイオードＤ９１、Ｄ９２を有し、維持電極ＳＵ１〜ＳＵ１０８０に電圧Ｖｅ１または電圧Ｖｅ２を印加する。
【００７１】
なお、これらのスイッチング素子は、ＭＯＳＦＥＴやＩＧＢＴ等の一般に知られた素子を用いて構成することができる。またこれらのスイッチング素子は、タイミング発生回路４５で発生したそれぞれのスイッチング素子に対応するタイミング信号により制御される。
【００７２】
次に、走査電極駆動回路４３および維持電極駆動回路４４の動作、特にＳＦ１からＳＦ２にかけての動作について説明する。本実施の形態においては、図３に示した電圧Ｖｉ１は電圧Ｖｐに等しく、電圧Ｖｉ２は電圧（Ｖｔ＋Ｖｐ）に等しく、電圧Ｖｉ３は電圧Ｖｓに等しく、電圧Ｖｉ５は電圧Ｖｔに等しく、電圧Ｖｃは電圧（Ｖａ＋Ｖｐ）に等しいものとして説明する。しかしこれらの電圧は上記に限定されるものではなく、回路構成に応じて適宜設定することができる。
【００７３】
図８は、本発明の実施の形態１におけるプラズマディスプレイ装置４０の走査電極駆動回路４３および維持電極駆動回路４４の動作を説明するためのタイミングチャートである。なお図８には走査電極ＳＣ１〜ＳＣｎの内、強制初期化動作を行う走査電極を走査電極ＳＣｘで示し、強制初期化動作を行わない走査電極を走査電極ＳＣｙで示した。またスイッチング素子Ｑ７１Ｈ１〜Ｑ７１Ｈｎの内、走査電極ＳＣｘに対応するスイッチング素子をスイッチング素子Ｑ７１Ｈｘで示し、走査電極ＳＣｙに対応するスイッチング素子をスイッチング素子Ｑ７１Ｈｙで示した。同様にスイッチング素子Ｑ７１Ｌ１〜Ｑ７１Ｌｎの内、走査電極ＳＣｘに対応するスイッチング素子をスイッチング素子Ｑ７１Ｌｘで示し、走査電極ＳＣｙに対応するスイッチング素子をスイッチング素子Ｑ７１Ｌｙで示した。
【００７４】
ＳＦ１の初期化期間において、維持電極駆動回路４４のスイッチング素子Ｑ９２をオンにして、維持電極ＳＵ１〜ＳＵｎに電圧Ｖｅ２を印加する。そして走査電極駆動回路４３のスイッチング素子Ｑ７１Ｌｘ、Ｑ７１Ｌｙをオンにするとともに、ミラー積分回路６３の入力端子ＩＮ６３に一定の電圧を印加してミラー積分回路６３を動作させ、走査電極ＳＣｘ、ＳＣｙに電圧Ｖｉ４まで緩やかに下降する下り傾斜波形電圧を印加する。
【００７５】
続くＳＦ１の書込み期間では、走査電極駆動回路４３のミラー積分回路６３のトランジスタＱ６３をオフ、スイッチング素子Ｑ７２をオンにして節点Ａの電圧を電圧Ｖａにするとともに、スイッチング素子Ｑ７１Ｌｘ、Ｑ７１Ｌｙをオフ、スイッチング素子Ｑ７１Ｈｘ、Ｑ７１Ｈｙをオンとして、走査電極ＳＣｘ、ＳＣｙのそれぞれに電圧（Ｖａ＋Ｖｐ）を印加する。
【００７６】
次に、スイッチング素子Ｑ７１Ｈ１をオフ、スイッチング素子Ｑ７１Ｌ１をオンにし、一定の時間の後、スイッチング素子Ｑ７１Ｌ１をオフ、スイッチング素子Ｑ７１Ｈ１をオンに戻す。このようにして走査電極ＳＣ１に走査パルスを印加する。以下同様に、走査電極ＳＣｎにいたるまで、順次走査パルスを印加する。
【００７７】
その後、スイッチング素子Ｑ７２、スイッチング素子Ｑ７１Ｈｘ、Ｑ７１Ｈｙをオフ、スイッチング素子Ｑ５６、スイッチング素子Ｑ６９、スイッチング素子Ｑ７１Ｌｘ、Ｑ７１Ｌｙをオンにして走査電極ＳＣｘ、ＳＣｙに電圧０（Ｖ）を印加する。
【００７８】
続くＳＦ１の維持期間では、維持電極駆動回路４４のスイッチング素子Ｑ９２をオフ、スイッチング素子Ｑ８６をオンにして、維持電極ＳＵ１〜ＳＵｎに電圧０（Ｖ）を印加する。そして走査電極駆動回路４３のスイッチング素子Ｑ５６をオフにするとともに、ミラー積分回路６１の入力端子ＩＮ６１に一定の電圧を印加してミラー積分回路６１を動作させ、走査電極ＳＣｘ、ＳＣｙに緩やかに上昇する上り傾斜波形電圧を印加する。走査電極ＳＣｘ、ＳＣｙの電圧が電圧Ｖｒ２にいたるとミラー積分回路６１のトランジスタＱ６１をオフにする。こうして走査電極ＳＣｘ、ＳＣｙに、電圧Ｖｒ２まで緩やかに上昇する上り傾斜波形電圧を印加する。
【００７９】
ＳＦ２の初期化期間の前半部では、まず走査電極駆動回路４３のスイッチング素子Ｑ５６オンにして走査電極ＳＣｘ、ＳＣｙに電圧０（Ｖ）を印加する。次にスイッチング素子Ｑ５６をオフにするとともに、強制初期化動作を行う走査電極ＳＣｘに対してはスイッチング素子Ｑ７１Ｌｘをオフ、スイッチング素子Ｑ７１Ｈｘをオンにして電圧Ｖｐを印加する。一方、強制初期化動作を行わない走査電極ＳＣｙに対しては、電圧０（Ｖ）を印加したままである。
【００８０】
次に、ミラー積分回路６１の入力端子ＩＮ６１に一定の電圧を印加して、節点Ａの電圧を電圧Ｖｔまで緩やかに上昇させる。すると、強制初期化動作を行う走査電極ＳＣｘには、電圧Ｖｐから電圧（Ｖｔ＋Ｖｐ）まで緩やかに上昇する上り傾斜波形電圧が印加される。一方、強制初期化動作を行わない走査電極ＳＣｙには電圧０（Ｖ）から電圧Ｖｔまで緩やかに上昇する上り傾斜波形電圧が印加される。
【００８１】
続くＳＦ２の初期化期間の後半部では、維持電極駆動回路４４のスイッチング素子Ｑ８６をオフ、スイッチング素子Ｑ９１をオンにして、維持電極ＳＵ１〜ＳＵｎに電圧Ｖｅ１を印加する。そして走査電極駆動回路４３のスイッチング素子Ｑ７１Ｈｘをオフ、スイッチング素子Ｑ７１Ｌｘをオンに戻すとともに、スイッチング素子Ｑ５５、スイッチング素子Ｑ５９をオンにして、まず走査電極ＳＣｘ、ＳＣｙに電圧Ｖｓを印加する。その後、スイッチング素子Ｑ６９をオフにするとともにミラー積分回路６３の入力端子ＩＮ６３に一定の電圧を印加してミラー積分回路６３を動作させて、走査電極ＳＣｘ、ＳＣｙに電圧Ｖｉ４まで緩やかに下降する下り傾斜波形電圧が印加される。
【００８２】
続くＳＦ２の書込み期間は、ＳＦ１の書込み期間と同様であるため、説明を省略する。
【００８３】
続くＳＦ２の維持期間では、走査電極駆動回路４３の維持パルス発生回路５０、および維持電極駆動回路４４の維持パルス発生回路８０を用いて、走査電極ＳＣｘ、ＳＣｙ、および維持電極ＳＵ１〜ＳＵｎに、輝度重みに応じた維持パルスをそれぞれ印加する。そしてその後、走査電極駆動回路４３のスイッチング素子Ｑ５６をオフにするとともに、ミラー積分回路６２の入力端子ＩＮ６２に一定の電圧を印加してミラー積分回路６２を動作させ、走査電極ＳＣｘ、ＳＣｙに、電圧Ｖｒ１まで緩やかに上昇する上り傾斜波形電圧を印加する。
【００８４】
このようにして、本実施の形態においては、走査電極駆動回路４３および維持電極駆動回路４４を用いて図３に示した駆動電圧波形を走査電極ＳＣ１〜ＳＣｎおよび維持電極ＳＵ１〜ＳＵｎに印加する。
【００８５】
なお、図８には、電圧Ｖｔが電圧Ｖｓよりも高い電圧値に設定された例を示したが、電圧Ｖｔと電圧Ｖｓとが互いに等しい電圧値であってもよく、また電圧Ｖｔの方が電圧Ｖｓよりも低い電圧値であってもよい。
【００８６】
また図３に示したように上記の説明では、フィールドを、ＳＦ１の初期化期間に開始しＳＦ１１の維持期間で終了するものとして定義した。しかし、フィールドの開始時点および終了時点は任意に定義することができる。図９は、本発明の実施の形態１におけるプラズマディスプレイ装置の各電極に印加する他の駆動電圧波形図である。図９においては、フィールドを、ＳＦ１の書込み期間に開始し、ＳＦ１１の維持期間の後にＳＦ１の初期化期間の駆動電圧波形と同様の電圧波形を各電極に印加した後に終了するとして定義している。しかし、ＳＦ１の書込み期間における書込み動作のための壁電圧は、ＳＦ１１の維持期間の後に設けられたＳＦ１の初期化期間の駆動電圧波形と同様の電圧波形により形成される。そのためＳＦ１１の維持期間の後に設けられた駆動電圧波形は実質的にＳＦ１の初期化期間と考えることができる。このように、一連の駆動電圧波形が正しく印加されていれば、フィールドの開始および終了は任意に定義してもよい。
【００８７】
また図９に示したように、強制初期化動作を行うサブフィールドであるＳＦ２の初期化期間の前半部において、データ電極Ｄ１〜Ｄｍに正の電圧Ｖｄを印加してもよい。このように駆動することで、強制初期化動作を安定して発生させることができる。
【００８８】
また図９に示したように、走査電極および維持電極に維持パルスを印加した後に上り傾斜波形電圧を走査電極に印加する維持期間を有するサブフィールドであるＳＦ２〜ＳＦ１１の初期化期間において、走査電極ＳＣ１〜ＳＣｎに下り傾斜波形電圧を印加する際に維持電極駆動回路４４の出力インピーダンスをハイインピーダンス状態としてもよい。このように、走査電極および維持電極に維持パルスを印加することなく上り傾斜波形電圧を走査電極に印加する維持期間を有するＳＦ１の実質的な初期化期間および書込み期間において維持電極に印加する電圧を、走査電極および維持電極に維持パルスを印加した後に上り傾斜波形電圧を走査電極に印加する維持期間を有するサブフィールドの初期化期間および書込み期間において維持電極に印加する電圧よりも高い電圧とすることにより、書込み放電を安定して発生させるとともに誤書込みを防止することができる。さらに傾斜波形電圧の印加にともなう初期化放電を安定に発生させることができる。
【００８９】
また、本実施の形態においては、各走査電極、各フィールドのそれぞれに対して強制初期化動作を行うか否かを、上述した（規則１）、（規則２）にもとづき設定した。また、Ｎ≧５の場合には、（規則１）、（規則２）に加えて（規則３）にもとづき設定した。しかし本発明はこれに限定されるものではなく、条件を緩和した駆動についても適用することができる。その一例を以下に説明する。
【００９０】
（実施の形態２）
実施の形態２においては、各フィールドのそれぞれに対して強制初期化動作を行う特定の走査電極を以下の規則にもとづき設定する。１つの走査電極に対して、Ｎフィールドに１回の割合で強制初期化動作を行う場合、時間的に連続するＮフィールドを１つのフィールド群とし、連続して配置されたＭ本（ただし、Ｍ≦Ｎ）の走査電極を１つの走査電極群とする。その上で、
（規則１）１つの走査電極で強制初期化動作を行うフィールドは、それぞれのフィールド群の中で１つである。
（規則２’）１つのフィールドで強制初期化動作を行う走査電極は、それぞれの走査電極群の中で１つまたは０である。
【００９１】
さらに、Ｎ≧４の場合には、
（規則３）あるフィールドで強制初期化動作を行う走査電極に隣接する走査電極では、少なくともそのフィールドと、そのフィールドの次のフィールドとで強制初期化動作を行わない。
【００９２】
図１０は、本発明の実施の形態２における強制初期化動作を行う放電セルとフィールドとの関係を示す図であり、Ｎ＝４、Ｍ＝２の場合の一例を示している。また横軸はフィールドを、縦軸は走査電極をそれぞれ表し、フィールドＦｊ〜Ｆｊ＋３が１つのフィールド群を、走査電極ＳＣｉ、ＳＣｉ＋１が１つの走査電極群を構成している。さらに「○」は強制初期化動作を行うことを示し、「×」は強制初期化動作を行わないことを示している。
【００９３】
図１０から明らかなように、走査電極ＳＣｉが強制初期化動作を行うフィールドは、それぞれのフィールド群の中の１つのフィールドである。他の走査電極についても同様である（規則１）。これにより、フィールド毎に全ての放電セルで強制初期化動作を毎回行う場合と比較して、強制初期化動作の回数が４分の１に低減されるので、表示画像の黒輝度も４分の１に低減することができる。またフィールドＦｊに対して強制初期化動作を行う走査電極の数は、それぞれの走査電極群の中で１つまたは０である。他のフィールドについても同様である（規則２’）。これにより、強制初期化動作を行う走査電極を各フィールドに分散できるので、フリッカーを低減することができる。また、例えば走査電極ＳＣｉはフィールドＦｊで強制初期化動作を行い、走査電極ＳＣｉに隣接する走査電極ＳＣｉ−１および走査電極ＳＣｉ＋１は、フィールドＦｊおよびその次のフィールドＦｊ＋１では強制初期化動作を行わない。他の走査電極についても同様である（規則３）。これにより、強制初期化動作を行う走査電極の時間的および空間的連続性を低減できるので、強制初期化動作にともなう発光が認識されにくくなる。
【００９４】
なお、実施の形態１、２において示した具体的な数値等は単に一例を示したに過ぎず、本発明はこれらの数値に何ら限定されるものではなく、パネルの特性やプラズマディスプレイ装置の仕様等にあわせて最適に設定することが望ましい。また、これらの各数値は、上述した効果が得られる範囲でのばらつきを許容するものとする。
【産業上の利用可能性】
【００９５】
本発明は、書込み放電を安定して発生させるとともに、黒輝度および黒の次に低い階調の輝度を低下させて、コントラストが高くかつ画像表示品質の高い画像を表示することができ、パネルの駆動方法およびプラズマディスプレイ装置として有用である。
【符号の説明】
【００９６】
１０    パネル
２２    走査電極
２３    維持電極
２４    表示電極対
３２    データ電極
４０    プラズマディスプレイ装置
４１    画像信号処理回路
４２    データ電極駆動回路
４３    走査電極駆動回路
４４    維持電極駆動回路
４５    タイミング発生回路
５０    維持パルス発生回路
５１，８１    電力回収回路
６０    傾斜波形電圧発生回路
６１，６２，６３    ミラー積分回路
７０    走査パルス発生回路
８０    維持パルス発生回路
９０    一定電圧発生回路
【図１】
2010266649.tif 000003
【図２】
2010266649.tif 000004
【図３】
2010266649.tif 000005
【図４】
2010266649.tif 000006
【図５】
2010266649.tif 000007
【図６】
2010266649.tif 000008
【図７】
2010266649.tif 000009
【図８】
2010266649.tif 000010
【図９】
2010266649.tif 000011
【図１０】
2010266649.tif 000012